(57)【要約】【課題】  簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供する。【解決手段】  捕捉物質が固定化された固定相に、測定試料及び標識物質を有する検出試薬を含む移動相を展開させることにより、測定試料中のヘモグロビンＡに対するヘモグロビンＡ１ｃの比率を測定するヘモグロビンＡ１ｃの測定方法であって、標識物質として磁性体含有粒子を用い、前記磁性体含有粒子の磁性量を測定することにより、ヘモグロビンＡに対するヘモグロビンＡ１ｃの比率を算出するヘモグロビンＡ１ｃの測定方法。【選択図】      なし【特許請求の範囲】
【請求項１】
捕捉物質が固定化された固定相に、測定試料及び標識物質を有する検出試薬を含む移動相を展開させることにより、測定試料中のヘモグロビンＡに対するヘモグロビンＡ１ｃの比率を測定するヘモグロビンＡ１ｃの測定方法であって、
標識物質として磁性体含有粒子を用い、前記磁性体含有粒子の磁性量を測定することにより、ヘモグロビンＡに対するヘモグロビンＡ１ｃの比率を算出する
ことを特徴とするヘモグロビンＡ１ｃの測定方法。
【請求項２】
捕捉物質として、ヘモグロビンＡ及びヘモグロビンＡ１ｃと特異的に結合する抗ヘモグロビンＡ抗体、検出試薬として、ヘモグロビンＡ１ｃと特異的に結合する抗ヘモグロビンＡ１ｃ抗体が結合又は吸着した磁性体含有粒子を用いることを特徴とする請求項１記載のヘモグロビンＡ１ｃの測定方法。
【請求項３】
捕捉物質として、ヘモグロビンＡ１ｃと特異的に結合する抗ヘモグロビンＡ１ｃ抗体、検出試薬として、ヘモグロビンＡ１ｃハプテンが結合又は吸着した磁性体含有粒子を用いることを特徴とする請求項１記載のヘモグロビンＡ１ｃの測定方法。
【請求項４】
捕捉物質として、ヘモグロビンＡ１ｃハプテン、検出試薬として、ヘモグロビンＡ１ｃと特異的に結合する抗ヘモグロビンＡ１ｃ抗体が結合又は吸着した磁性体含有粒子を用いることを特徴とする請求項１記載のヘモグロビンＡ１ｃの測定方法。
【請求項５】
捕捉物質として、ヘモグロビンＡ１ｃと特異的に結合する抗ヘモグロビンＡ１ｃ抗体、検出試薬として、未感作の磁性体含有粒子を用いることを特徴とする請求項１記載のヘモグロビンＡ１ｃの測定方法。
【請求項６】
磁性体含有粒子は、有機高分子物質と、前記有機高分子物質中に分散した磁性体とからなり、前記磁性体を５０〜８０重量％含有し、かつ、平均粒子径が０．０３〜０．５μｍ、有機高分子物質中における磁性体の分散径が１〜３０ｎｍであることを特徴とする請求項１、２、３、４又は５記載のヘモグロビンＡ１ｃの測定方法。
【請求項７】
磁性体は、酸化鉄であることを特徴とする請求項１、２、３、４、５又は６記載のヘモグロビンＡ１ｃの測定方法。
【請求項８】
有機高分子物質は、スチレン系モノマーに由来するセグメントを６０重量％以上含有することを特徴とする請求項１、２、３、４、５、６又は７記載のヘモグロビンＡ１ｃの測定方法。
【請求項９】
請求項１、２、３、４、５、６、７又は８記載のヘモグロビンＡ１ｃの測定方法を実施するために用いることを特徴とするヘモグロビンＡ１ｃ測定用キット。
【発明の詳細な説明】
【技術分野】
【０００１】
本発明は、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットに関する。
【背景技術】
【０００２】
血中のヘモグロビンに糖が結合したグリコヘモグロビンは、その濃度が過去１〜２ケ月間の平均的な血中糖濃度を反映するために、糖尿病の診断や、糖尿病の経過観察等に適した指標として広く利用されている。  
【０００３】
このようなグリコヘモグロビンは、全体のヘモグロビン量を対照とした際のグリコヘモグロビン量の比率で示される。ヘモグロビンの種類としては、ヘモグロビンＡ、Ｓ、Ｃ、Ｅがあるが、通常、臨床試験では、これらのなかでもヘモグロビンＡ（以下、ＨｂＡともいう）中の特定の糖化ヘモグロビンであるヘモグロビンＡ１ｃ（以下、ＨｂＡ１ｃともいう）の割合を指標として用いることが一般化されている。なお、ＨｂＡ量に対するＨｂＡ１ｃ量の比率は、通常約４〜６％がその目安とされている。
【０００４】
従来より、ＨｂＡ１ｃを含む糖化ヘモグロビンの測定法としては、電気泳動法、ボロン酸アフィニティクロマトグラフィー法、イオン交換クロマトグラフィー法、免疫アッセイ法等が知られているが、現在では所要時間や分離性等の点からイオン交換クロマトグラフィー法が主流となっている。しかしながら、イオン交換クロマトグラフィー法は大型で高価な装置が必要であるため、最近では特異性の高い抗体を用いた免疫アッセイ法を用いた測定方法が行われている。
【０００５】
免疫アッセイ法としては、例えば、特許文献１〜３に開示されているように、別途調製したポリハプテンとヘモグロビンの糖化部位の競合反応を利用した免疫凝集を利用する方法や、ラテックス粒子に吸着した糖化ヘモグロビン分子に抗糖化ヘモグロビン抗体を反応させて生じるラテックス凝集反応を利用する方法等が行われている。このような免疫アッセイ法は、用いる抗体の特異性が高いため、イオン交換クロマトグラフィー法において問題とされる不安定型グリコヘモグロビン、カルバミル化ヘモグロビン、アセトアルデヒド化ヘモグロビン、アセチル化ヘモグロビン等の影響を受けず、迅速で、検体処理能力が高いという長所を有している。
【０００６】
しかしながら、これらの方法は何れも凝集反応を利用しているため、非特異的な凝集反応が生じる可能性があり、異常値が出現したり、抗原抗体反応による濁度増加が検出されにくくなったりすることがあり、特異性や測定精度の点で問題があった。
【特許文献１】特開平６−６６７９５号公報
【特許文献２】特開平７−５１７８号公報
【特許文献３】特表２００２−３０３６２９号公報
【発明の開示】
【発明が解決しようとする課題】
【０００７】
本発明は、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供することを目的とする。
【課題を解決するための手段】
【０００８】
本発明は、捕捉物質が固定化された固定相に、測定試料及び標識物質を有する検出試薬を含む移動相を展開させることにより、測定試料中のヘモグロビンＡに対するヘモグロビンＡ１ｃの比率を測定するヘモグロビンＡ１ｃの測定方法であって、標識物質として磁性体含有粒子を用い、前記磁性体含有粒子の磁性量を測定することにより、ヘモグロビンＡに対するヘモグロビンＡ１ｃの比率を算出するヘモグロビンＡ１ｃの測定方法である。
以下に本発明を詳述する。
【０００９】
本発明のヘモグロビンＡ１ｃの測定方法では、検出試薬の標識物質として、磁性体含有粒子を用いることにより、測定試料中のヘモグロビンＡに対するヘモグロビンＡ１ｃの比率を測定する。
【００１０】
上記磁性体含有粒子は、有機高分子物質と、前記有機高分子物質中に分散した磁性体とからものであることが好ましい。
この場合、上記有機高分子物質は、磁性体含有粒子のマトリックスとしての役割を有する。
上記有機高分子物質としては、スチレン系モノマーに由来するセグメントを有する共重合体であることが好ましい。スチレン系モノマーに由来するセグメントを有することにより、本発明の磁性体含有粒子の水系媒体中における分散性が向上する。
【００１１】
上記スチレン系モノマーとしては特に限定されず、例えば、スチレン、α−メチルスチレン、ｐ−メチルスチレン、ｐ−クロロスチレン、クロロメチルスチレン等、又は、二官能性のジビニルベンゼン等が挙げられる。これらのスチレン系モノマーは単独で用いてもよく、２種以上を併用してもよい。
【００１２】
上記スチレン系モノマーに由来するセグメントの含有量の好ましい下限は６０重量％である。６０重量％未満であると、得られる磁性体含有粒子の水系媒体中での分散性が劣ることがある。
【００１３】
上記有機高分子物質は、スチレン系モノマーに由来するセグメントのほかに、反応性官能基を含有するビニルモノマーに由来するセグメントを有していてもよい。反応性官能基を含有するビニルモノマーに由来するセグメントを有することにより、該反応性官能基を介して抗原や抗体を容易に結合することができる。
【００１４】
上記反応性官能基を含有するビニルモノマーの反応性官能基としては、抗原や抗体等を共有結合により結合可能なものであれば特に限定されず、例えば、カルボキシル基、水酸基、エポキシ基、アミノ基、トリエチルアンモニウム基、ジメチルアミノ基、スルホン酸基等が挙げられる。このような反応性官能基を含有するビニルモノマーとしては、例えば、（メタ）アクリル酸、（メタ）アクリル酸−２−ヒドロキシエチル、グリシジル（メタ）アクリレート、トリエチルアンモニウム（メタ）アクリレート、ジメチルアミノ（メタ）アクリレート等が挙げられる。これらの反応性官能基を含有するビニルモノマーは単独で用いてもよく、２種以上を併用してもよい。
【００１５】
上記共重合体は、その他のビニルモノマーに由来するセグメントを有していてもよい。
その他のビニルモノマーとしては特に限定されず、例えば、塩化ビニル；酢酸ビニル、プロピオン酸ビニル等のビニルエステル類；アクリロニトリル等の不飽和ニトリル類；（メタ）アクリル酸メチル、（メタ）アクリル酸エチル、（メタ）アクリル酸ブチル、（メタ）アクリル酸２−エチルヘキシル、（メタ）アクリル酸ステアリル、エチレングリコール（メタ）アクリレート、トリフルオロエチル（メタ）アクリレート、ペンタフルオロプロピル（メタ）アクリレート、シクロヘキシル（メタ）アクリレート、グリシジルメタクリレート、テトラヒドロフルフリル（メタ）アクリレート等の（メタ）アクリル酸エステル誘導体等が挙げられる。これら単量体は単独で用いてもよく、２種以上を併用してもよい。
【００１６】
上記共重合体は、架橋性モノマーに由来するセグメントを有していてもよく、これらのセグメントにより架橋が施されていてもよい。
上記架橋性モノマーとしては特に限定されず、例えば、エチレングリコールジ（メタ）アクリレート、１，６−ヘキサンジオールジ（メタ）アクリレート、ネオペンチルグリコールジ（メタ）アクリレート、トリメチロールプロパントリ（メタ）アクリレート、テトラメチロールメタントリトリ（メタ）アクリレート、テトラメチロールプロパンテトラ（メタ）アクリレート、ジアリルフタレート及びその異性体、トリアリルイソシアヌレート及びその誘導体等が挙げられる。これら架橋性単量体は単独で用いてもよく、２種以上を併用してもよい。
【００１７】
上記磁性体としては特に限定されないが、残留磁気がない超常磁性を有するものが好適である。残留磁気があると自己凝集しやすくなり、クロマト展開性が劣ることがある。
上記超常磁性を有する磁性体としては特に限定されず、例えば、四三酸化鉄（Ｆｅ３Ｏ４）、γ−重三二酸化鉄（γ−Ｆｅ２Ｏ３）等の各種フェライト類；鉄、マンガン、コバルト等の金属又はこれらの合金等が挙げられる。なかでもフェライト類が好適であり、なかでも四三酸化鉄（Ｆｅ３Ｏ４）が好適である。
このような磁性体としては、Ｆｅ２＋とＦｅ３＋を１：２の割合で含む混合液を塩基性の溶液に滴下することでＦｅ３Ｏ４が得られる共沈反応法により調製したもの等を用いることができる。また、フェリコロイドＨＣ−５０（タイホー工業社製）、ＨＸ―２０（シグマハイケミカル社製）等の市販品も用いることができる。
【００１８】
上記有機高分子物質中における磁性体の分散径の好ましい下限は１ｎｍ、好ましい上限は３０ｎｍである。１ｎｍ未満であると、磁性体の製造自体が困難であることに加え、磁性体の磁性応答特性が減少し、標識として用いたときの感度が低下することがある。３０ｎｍを超えると、残留磁気を生じやすくなり、自己凝集しやすくなることに加え、磁性体が磁性体含有粒子の表面に露出しやすくなることがある。より好ましい下限は５ｎｍ、より好ましい上限は２０ｎｍである。
【００１９】
上記磁性体含有粒子中における磁性体の含有量の好ましい下限は５０重量％、好ましい上限は８０重量％である。５０重量％未満であると、磁性量が低く、極微量の測定対象成分を分析する際に検出が困難となることがあり、８０重量％を超えると、自己凝集しやすくなったり、磁性体含有粒子全体の重量が大きくなり過ぎたりしてクロマト展開性が劣ることがある。より好ましい下限は６０重量％、より好ましい上限は７０重量％である。
【００２０】
上記磁性体含有粒子は、平均粒子径の好ましい下限が５０ｎｍ、好ましい上限が５００ｎｍである。５０ｎｍ未満であると、媒体中に懸濁させたときの分散安定性が悪くなって自己凝集しやすくなることがあり、５００ｎｍを超えると、クロマト担体の孔を通過しにくくなり、クロマト展開性が劣ることがある。より好ましい下限は１００ｎｍ、より好ましい上限は４００ｎｍである。
【００２１】
上記磁性体含有粒子は、粒子径のＣＶ値が５０％未満であることが好ましい。５０％以上であると、粒子径の大きい粒子がクロマト担体の孔を通過しにくくなり、クロマト担体中に残存することがある。
【００２２】
上記磁性体含有粒子は、上記有機高分子物質を構成する炭素元素と上記磁性体を構成する金属元素との構成比率の絶対偏差の好ましい上限が０．３である。
なお、本明細書において絶対偏差とは、上記有機高分子物質を構成する炭素元素と、磁性体を構成する金属元素の同期発光を測定し、粒子毎の炭素元素と金属元素との混在比率のバラツキから算出したその測定データの分散状態を示す偏差値であって、磁性体含有粒子の磁性体含有量のバラツキを示すパラメータである。上記絶対偏差の数値が小さいほど磁性体含有量のバラツキが小さく、即ち磁性体含有粒子の均一性が高く、大きいほど磁性体含有量のバラツキが大きい、即ち磁性体含有粒子の均一性が低いことを示す。
上記絶対偏差が０．３を超えると、免疫測定法に利用した場合に、測定再現性や定量性が低くなり測定精度が悪化することがあり、得られる測定データの信頼性が低くなる。より好ましい上限は０．２７、更に好ましい上限は０．２５、特に好ましい上限は０．２０である。
【００２３】
上記磁性体含有粒子を製造する方法としては特に限定されず、例えば、懸濁重合法、マイクロサスペンジョン重合法、ミニエマルジョン重合法、分散重合法等を応用した方法が挙げられる。なかでも、粒子径の小さな粒子を容易に製造することができることから、ミニエマルジョン重合法を応用した方法が好適である。
【００２４】
本発明のヘモグロビンＡ１ｃの測定方法では、上記磁性体含有粒子を標識物質とし、捕捉物質が固定化された固定相を有する試験片等に、測定試料及び標識物質を有する検出試薬を含む移動相を展開させることにより、測定試料中のヘモグロビンＡに対するヘモグロビンＡ１ｃの比率を測定する。なお、本発明のヘモグロビンＡ１ｃの測定方法では、測定試料と検出試薬を予め反応させた後、固定相に展開してもよく、検出試薬を試験片の試料導入材料付近に含浸させ、測定試料の適用により、測定試料と検出試薬を反応させ、展開するようにしてもよい。
【００２５】
本発明のヘモグロビンＡ１ｃの測定方法において、固定相の捕捉物質と移動相の検出試薬との組み合わせとしては、（１）捕捉物質としてＨｂＡ及びＨｂＡ１ｃと特異的に結合する抗ＨｂＡ抗体、検出試薬としてＨｂＡ１ｃと特異的に結合する抗ＨｂＡ１ｃ抗体が結合又は吸着した磁性体含有粒子、（２）捕捉物質としてＨｂＡ１ｃと特異的に結合する抗ＨｂＡ１ｃ抗体、検出試薬としてＨｂＡ１ｃハプテンが結合又は吸着した磁性体含有粒子、（３）捕捉物質としてＨｂＡ１ｃハプテン、検出試薬としてＨｂＡ１ｃと特異的に結合する抗ＨｂＡ１ｃ抗体が結合又は吸着した磁性体含有粒子、（４）捕捉物質としてＨｂＡ１ｃと特異的に結合する抗ＨｂＡ１ｃ抗体、検出試薬として未感作の磁性体含有粒子を用いることが好ましい。
【００２６】
上述した捕捉物質と検出試薬との組み合わせのうち、（１）の組み合わせを用いる場合のヘモグロビンＡ１ｃの測定方法を示す概略図を図１に示す。なお、図１ａは、測定試料及び検出試薬を反応させた後、これらを展開する場合の測定方法であり、図１ｂは、測定試料のみを先に展開した後、検出試薬を展開する場合の測定方法を表すものである。
まず、図１ａの場合について説明する。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
【００２７】
図１ａ（Ｉ）に示すように、ＨｂＡ１ｃと特異的に結合する抗ＨｂＡ１ｃ抗体が結合又は吸着した磁性体含有粒子からなる検出試薬１と、ＨｂＡ２及びＨｂＡ１ｃ３を含有する測定試料とを反応させると、検出試薬１にＨｂＡ１ｃ３のみが特異的に結合する。その後、検出試薬１及び測定試料を含む移動相を、捕捉物質としてＨｂＡ２及びＨｂＡ１ｃ３と特異的に結合する抗ＨｂＡ抗体が固定化された固定相４に展開すると、ＨｂＡ２及び検出試薬１と結合したＨｂＡ１ｃ３が捕捉物質に捕捉され、捕捉されなかった検出試薬１等は排出される。この際、固定相４に吸着したＨｂＡ２及びＨｂＡ１ｃ３の比率は、測定試薬中のＨｂＡ２及びＨｂＡ１ｃ３の割合を反映したものとなる。そして、固定相の磁性量を測定することにより、所定濃度での磁性量を求める。
次いで、図１ａ（ＩＩ）に示すように、ＨｂＡに対するＨｂＡ１ｃの比率が比較的高い場合についても、同様の操作を行い、固定相の磁性量を測定する。そして、これらの測定結果に基づき、検量線を作成する。このようにして作成した検量線を用いることで、磁性量の測定値から測定試料中のＨｂＡに対するＨｂＡ１ｃの比率を求めることが可能となる。
【００２８】
図１ｂに示す方法では、まず、ＨｂＡ２及びＨｂＡ１ｃ３を含有する測定試料のみを、捕捉物質としてＨｂＡ２及びＨｂＡ１ｃ３と特異的に結合する抗ＨｂＡ抗体が固定化された固定相４に展開することにより、ＨｂＡ２及びＨｂＡ１ｃ３が捕捉物質に捕捉される。この際、固定相４に吸着したＨｂＡ２及びＨｂＡ１ｃ３の比率は、測定試薬中のＨｂＡ２及びＨｂＡ１ｃ３の割合を反映したものとなる。
次いで、ＨｂＡ１ｃと特異的に結合する抗ＨｂＡ１ｃ抗体が結合又は吸着した磁性体含有粒子からなる検出試薬１を展開すると、検出試薬１が固定相上に捕捉されたＨｂＡ１ｃ３にのみ結合する。そして、固定相の磁性量を測定することにより、所定濃度での磁性量を求める。
次いで、図１ｂ（ＩＩ）に示すように、ＨｂＡに対するＨｂＡ１ｃの比率が比較的高い場合についても、同様の操作を行い、固定相４の磁性量を測定する。そして、これらの測定結果に基づき、検量線を作成する。このようにして作成した検量線を用いることで、磁性量の測定値から測定試料中のＨｂＡに対するＨｂＡ１ｃの比率を求めることが可能となる。
【００２９】
図２に、上述した（２）の組み合わせを用いる場合のヘモグロビンＡ１ｃの測定方法を示す。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
図２（Ｉ）に示すように、ＨｂＡ１ｃハプテン１５が結合又は吸着した磁性体含有粒子からなる検出試薬１１と、ＨｂＡ２及びＨｂＡ１ｃ３を含有する測定試料とを含む移動相を、捕捉物質としてＨｂＡ１ｃと特異的に結合する抗ＨｂＡ１ｃ抗体が固定化された固定相１４に展開すると、ＨｂＡ１ｃハプテン１５が結合又は吸着した検出試薬１１及びＨｂＡ１ｃ３が捕捉物質に捕捉され、捕捉されなかったＨｂＡ２等は排出される。この際、固定相に吸着した検出試薬１１の比率は、測定試薬中のＨｂＡ２及びＨｂＡ１ｃ３の比率を反映したものとなる。即ち、測定試薬のＨｂＡ２に対するＨｂＡ１ｃ３の量が少ないほど、捕捉される検出試薬１が多くなる。そして、固定相の磁性量を測定することにより、所定濃度での磁性量を求める。
次いで、ＨｂＡに対するＨｂＡ１ｃの比率が比較的高い場合についても、同様の操作を行い（図２（ＩＩ））、固定相の磁性量を測定する。そして、これらの測定結果に基づき、検量線を作成する。このようにして作成した検量線を用いることで、磁性量の測定値から測定試料中のＨｂＡに対するＨｂＡ１ｃの比率を求めることが可能となる。
【００３０】
図３に、上述した（３）の組み合わせを用いる場合のヘモグロビンＡ１ｃの測定方法を示す。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
図３（Ｉ）に示すように、ＨｂＡ１ｃと特異的に結合する抗ＨｂＡ１ｃ抗体が結合又は吸着した磁性体含有粒子からなる検出試薬２１と、ＨｂＡ２及びＨｂＡ１ｃ３を含有する測定試料とを反応させると、検出試薬２１にＨｂＡ１ｃ３のみが特異的に結合する。その後、検出試薬２１及び測定試料を含む移動相を、捕捉物質としてＨｂＡ１ｃハプテン２５が固定化された固定相２４に展開すると、ＨｂＡ１ｃ３が結合していない検出試薬２１のみが捕捉物質に捕捉され、ＨｂＡ１ｃ３が結合している検出試薬２１、ＨｂＡ２等は排出される。この際、固定相に吸着したＨｂＡ１ｃ３が結合していない検出試薬２１の比率は、測定試薬中のＨｂＡ２及びＨｂＡ１ｃ３の比率を反映したものとなる。即ち、測定試薬のＨｂＡ２に対するＨｂＡ１ｃ３の量が少ないほど、捕捉されるＨｂＡ１ｃ３が結合していない検出試薬１が多くなる。そして、固定相の磁性量を測定し、所定濃度での磁性量を求める。
次いで、ＨｂＡに対するＨｂＡ１ｃの比率が比較的高い場合についても、同様の操作を行い（図３（ＩＩ））、固定相の磁性量を測定する。そして、これらの測定結果に基づき、検量線を作成する。このようにして作成した検量線を用いることで、磁性量の測定値から測定試料中のＨｂＡに対するＨｂＡ１ｃの比率を求めることが可能となる。
【００３１】
図４に、上述した（４）の組み合わせを用いる場合のヘモグロビンＡ１ｃの測定方法を示す。なお、（Ｉ）は、ＨｂＡに対するＨｂＡ１ｃの比率が比較的低い場合であり、（ＩＩ）は、ＨｂＡに対するＨｂＡ１ｃの比率が比較的高い場合である。
図４（Ｉ）に示すように、未感作の磁性体含有粒子からなる検出試薬３１と、ＨｂＡ２及びＨｂＡ１ｃ３を含有する測定試料とを反応させると、ＨｂＡ２及びＨｂＡ１ｃ３が結合した検出試薬と、ＨｂＡ２のみが結合した検出試薬とが得られる。その後、検出試薬及び測定試料を含む移動相を、捕捉物質としてＨｂＡ１ｃ３と特異的に結合する抗ＨｂＡ１ｃ抗体が固定化された固定相３４に展開すると、ＨｂＡ２及びＨｂＡ１ｃ３が結合した検出試薬のみが捕捉物質に捕捉され、ＨｂＡ２のみと結合した検出試薬等は排出される。この際、固定相に吸着したＨｂＡ２及びＨｂＡ１ｃ３が結合した検出試薬の比率は、測定試薬中のＨｂＡ２及びＨｂＡ１ｃ３の比率を反映したものとなる。即ち、測定試薬のＨｂＡ２に対するＨｂＡ１ｃ３の量が少ないと、捕捉されるＨｂＡ２及びＨｂＡ１ｃ３が結合した検出試薬も少なくなる。そして、固定相の磁性量を測定することにより、所定濃度での磁性量を求める。
次いで、図４（ＩＩ）に示すように、ＨｂＡに対するＨｂＡ１ｃの比率が比較的高い場合についても、同様の操作を行い、固定相の磁性量を測定する。そして、これらの測定結果に基づき、検量線を作成する。
このようにして作成した検量線を用いることで、磁性量の測定値から測定試料中のＨｂＡに対するＨｂＡ１ｃの比率を求めることが可能となる。
【００３２】
上記抗ＨｂＡ抗体としては、ＨｂＡ及びＨｂＡ１ｃと特異的に結合する抗体であれば、特に限定されず、モノクローナル抗体、ポリクローナル抗体いずれであってもよく、またそれらをフラグメント化したものであってもよい。
【００３３】
上記抗ＨｂＡ１ｃ抗体としては、ＨｂＡ１ｃと特異的に結合する抗体であれば、特に限定はなく、モノクローナル抗体、ポリクローナル抗体いずれであってもよく、またそれらをフラグメント化したものであってもよい。これらのなかでは、モノクローナル抗体を用いることが好ましい。
【００３４】
上記ＨｂＡ１ｃハプテンは、上記の抗ＨｂＡ１ｃ抗体と特異的に結合するものであれば特に限定されず、例えば、ヒトヘモグロビンのβ−サブユニットのＮ末端ペプチド断片に、その末端のバリン部分へグルコース１個を結合させたものが挙げられる。また、上記グルコース結合断片をウシ血清アルブミン又はキーホールリンペットヘモシアニン等の担体物質に結合させたものを用いることもできる。
【００３５】
上記捕捉物質を固定化する方法としては特に限定されず、免疫クロマト法の試験片を作製する際に通常行われる方法が適用できる。
また、上記磁性体含有粒子に抗ＨｂＡ１ｃ抗体又はＨｂＡ１ｃハプテンを結合又は吸着させる方法としては特に限定されず、例えば、物理吸着法や上記磁性体含有粒子が官能基を有する場合には、該官能基を介して抗ＨｂＡ1ｃ抗体やＨｂＡ１ｃハプテンを共有結合する方法等が挙げられる。
【００３６】
本発明のヘモグロビンＡ１ｃの測定方法では、上記移動相の展開を補助するために展開液を用いてもよい。上記展開液としては、通常の免疫アッセイ法に使用されるような、少量の蛋白質、塩、界面活性剤等を含む緩衝液が望ましく、具体的には例えば、０．１％ウシ血清アルブミンと、０．０１％トリトンＸ−１００と、０．９％塩化ナトリウムとを含む０．１Ｍリン酸緩衝液等を用いることができる。
【００３７】
本発明のヘモグロビンＡ１ｃの測定方法では、測定試料として、血液検体を溶血処理及び変性処理したものを用いることにより、ヘモグロビンＡに対するヘモグロビンＡ１ｃの比率を測定することができる。
上記溶血処理としては特に限定されず種々の方法を用いることができ、例えば、水等の低等張液や界面活性剤を用いる方法が挙げられる。
【００３８】
上記変性処理は、ＨｂＡ１ｃを変性させてＨｂＡと化学構造が異なる部位、即ち、糖結合部位を露出させ、抗ＨｂＡ１ｃ抗体との抗原抗体反応をしやすくすることや、不安定型ＨｂＡ１ｃを除去することを目的として行われるものである。上記変性処理の方法としては特に限定されず種々の方法を用いることができ、例えば、ＫＳＣＮ塩を用いる方法や、弱酸性条件下で、脂肪族カルボン酸緩衝液又はホウ酸緩衝液等を用いる方法等が挙げられる。
【００３９】
上記試験片としては、例えば、多孔質の担体に捕捉物質が固定化された固定層に、試料導入材料や吸収材料等が組み合わされもの等を用いることができる。上記試験片の形態としては、例えば、ラテラルフロータイプ、フロースルータイプ等が挙げられる。
【００４０】
上記多孔質の担体としては、移動相を適度な速度で展開することができるものであれば特に限定されず、例えば、メンブランフィルターや、ニトロセルロース、ガラス濾紙等の多孔質体が挙げられる。本発明では移動相を展開した後に、磁性量を測定するため、非磁性材料からなる担体を用いることが好ましい。
【００４１】
上記試料導入材料は、移動相の展開速度や展開量等を制御することを目的として用いられるものであり、移動相を適度な速度で展開することができるものであれば特に限定されず、例えば、メンブランフィルターや、ニトロセルロース、ガラス濾紙等の多孔質体が挙げられる。
上記吸水材料は、過剰の試料を迅速に吸収することを目的として用いられるものであり、毛細管現象により、多孔質の担体を展開した測定試料液を吸収するものであれば特に限定されず、例えば、セルロースやコットン等の吸水性材料が挙げられる。
【００４２】
本発明において、上記磁性体含有粒子の磁性量の計測方法としては、特に限定されず、例えば、ホールセンサーやＧＭＲセンサ等の磁気センサを用いる方法や磁気緩和測定を利用する方法等が挙げられる。このようにして測定した磁性量の計測結果を元に、予め作成した検量線からヘモグロビンＡに対するヘモグロビンＡ１ｃの比率を求めることができる。
【００４３】
本発明のヘモグロビンＡ１ｃの測定方法を実施するために用いるヘモグロビンＡ１ｃ測定用キットもまた、本発明の１つである。
このようなヘモグロビンＡ１ｃ測定用キットを用いることで、簡易かつ迅速に、ヘモグロビンＡに対するヘモグロビンＡ１ｃの比率を高い精度で測定することが可能となる。
【発明の効果】
【００４４】
本発明によれば、凝集反応を利用した方法等のように、非特異的な凝集反応や、異常値が出現することがなく、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供することができる。
【発明を実施するための最良の形態】
【００４５】
以下に実施例を掲げて本発明を更に詳しく説明するが、本発明はこれら実施例のみに限定されるものではない。
【００４６】
（実施例１）
（１）試験片の作製
ニトロセルロースメンブレン（ＳＲＨＦ  Ｐ７０、日本ミリポア社製）を幅２０ｃｍ×長さ６ｃｍに裁断し、その長さ方向上端より２ｃｍの部位（反応部位）に、抗ＨｂＡモノクローナル抗体を２．０ｍｇ／ｍｌの濃度となるようにトリス塩酸緩衝液（１０ｍｍｏｌ／ｌ、ｐＨ７．４）に溶解した溶液を幅０．７ｍｍの直線状に塗布した。その後、３７℃で２時間乾燥した後、牛血清アルブミン（和光純薬社製）が１重量％の濃度になるように、リン酸緩衝液（１００ｍｍｏｌ／ｌ、ｐＨ７．５）に溶解した溶液に１時間浸漬し、ブロッキング処理を行った。更に、その後、ラウリルベンゼンスルホン酸ナトリウムを０．１重量％の濃度になるようにリン酸緩衝液（１００ｍｍｏｌ／ｌ、ｐＨ７．５）に溶解した溶液にて洗浄後、シリカゲルデシケーター内で室温下にて乾燥し、抗ＨｂＡモノクローナル抗体を固定化した。
【００４７】
次いで、抗ＨｂＡモノクローナル抗体を固定化したメンブレンの長さ方向上端に幅５ｍｍ×長さ２０ｍｍの吸水パッド（ＡＰ２２、日本ミリポア社製）を、下端に幅５ｍｍ×長さ１５ｍｍのコンジュゲートパッド（グラスファイバー、日本ミリポア社製）を重ね、透明なテープで固定した後、幅５ｍｍに裁断し、試験片とした。
【００４８】
（２）抗ＨｂＡ１ｃモノクローナル抗体結合磁性体含有粒子の作製
磁性体含有粒子（ポリスチレン系、磁性体量６０％、平均粒子径０．３μｍ、積水化学社製）１０ｍｇに、２０ｍＭリン酸緩衝液（ｐＨ７．５）１０ｍＬを加え、１５０００ＲＰＭにて２０分間遠心分離を行った。得られた沈渣に、２０ｍＭリン酸緩衝液（ｐＨ７．５）に抗ＨｂＡ１ｃモノクローナル抗体を０．２ｍｇ／ｍＬの濃度になるように溶解した溶液を２ｍＬ加え、充分に混和して、室温にて１時間撹拌した。
【００４９】
その後、未反応の抗ＨｂＡ１ｃモノクローナル抗体を除去するため、１５０００ＲＰＭにて２０分間遠心分離を行い、沈渣を２０ｍＭリン酸緩衝液（ｐＨ７．５）３ｍＬに懸濁させ、再度遠心分離を行った。その沈渣を２０ｍＭリン酸緩衝液（ｐＨ７．５）に牛血清アルブミンを１％（ｗ／ｖ）の濃度になるように溶解した溶液３ｍＬに懸濁させ、室温で１時間撹拌し、ブロッキング処理を行った。その後、１５０００ＲＰＭにて２０分間遠心分離を行い、沈渣を２０ｍＭリン酸緩衝液（ｐＨ７．５）に牛血清アルブミンを１％（ｗ／ｖ）の濃度になるように溶解し、更にアジ化ナトリウムを０．０１％（ｗ／ｖ）の濃度になるように溶解した溶液２ｍＬに懸濁させて抗ＨｂＡ１ｃモノクローナル抗体結合磁性体含有粒子の懸濁液を調製し、使用までこれを冷蔵保存した。
【００５０】
（３）試験液の調製
検体として、グリコＨｂコントロールレベルＩ（ＨｂＡ１ｃ＝５．４±０．３％）、又は、レベルＩＩ（ＨｂＡ１ｃ＝１０．６±０．５％）（国際試薬社製）を用い、牛血清アルブミン１％（ｗ／ｖ）、トリトン−１００  ０．０３％（ｗ／ｖ）、及び、ヘモグロビン濃度が５μｇ／ｍＬになるように１００ｍＭＰＢＳを用いて調整することにより、レベルＩ試験液及びレベルＩＩ試験液を作製した。
【００５１】
（評価）
各試験液１００μＬと抗ＨｂＡ１ｃモノクローナル抗体結合磁性体含有粒子懸濁液１μＬを混合した後、試験片のコンジュゲートパッド部位にキャピラリーを用いて１００μＬ滴下した。滴下２０分後、試験片の検出部位の磁性量を、市販のＧＭＲセンサ（差動磁界センサ、ＮＶＥ社製）を用いて測定した。測定結果を表１に示した。
【００５２】
（実施例２）
実施例１で作製した試験片のコンジュゲートパッド部位に、実施例１で調製した試験液をキャピラリーを用いて５０μＬ滴下した。滴下１５分後、牛血清アルブミンを１％（ｗ／ｖ）、トリトン−Ｘを０．０１％（ｗ／ｖ）の濃度の２０ｍＭリン酸緩衝液（ｐＨ７．５）５０μＬをコンジュゲートパッドに滴下した。更に滴下１５分後、牛血清アルブミンを１％（ｗ／ｖ）、トリトン−Ｘを０．０１％（ｗ／ｖ）の濃度の２０ｍＭリン酸緩衝液（ｐＨ７．５）５０μＬに抗ＨｂＡ１ｃモノクローナル抗体結合磁性体含有粒子懸濁液２μＬを混合した液をコンジュゲートパッドに滴下した。そして、滴下２０分後、試験片の検出部位の磁性量を、市販のＧＭＲセンサ（差動磁界センサ、ＮＶＥ社製）を用いて測定した。測定結果を表１に示した。
【００５３】
【表１】
2007003411.tif 000002
【００５４】
表１に示したように、実施例１、２では、ＨｂＡ１ｃの比率の変化に伴い、磁性量についても大きく変化していることが確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例１、２のヘモグロビンＡ１ｃの測定方法は、簡便で、精度の高い有用な測定法であることが判る。
【００５５】
（実施例３）
（１）試験片の作製
ニトロセルロースメンブレン（ＳＲＨＦ  Ｐ７０、日本ミリポア社製）を幅２０ｃｍ×長さ６ｃｍに裁断し、その長さ方向上端より２ｃｍの部位（反応部位）に、抗ＨｂＡ１ｃモノクローナル抗体を１．０ｍｇ／ｍｌの濃度となるようにトリス塩酸緩衝液（１０ｍｍｏｌ／ｌ、ｐＨ７．４）に溶解した溶液を幅０．７ｍｍの直線状に塗布した。その後、３７℃で２時間乾燥した後、牛血清アルブミン（和光純薬社製）が１重量％の濃度になるように、リン酸緩衝液（１００ｍｍｏｌ／ｌ、ｐＨ７．５）に溶解した溶液に１時間浸漬し、ブロッキング処理を行った。更に、その後、ラウリルベンゼンスルホン酸ナトリウムを０．１重量％濃度になるようにリン酸緩衝液（１００ｍｍｏｌ／ｌ、ｐＨ７．５）に溶解した溶液にて洗浄後、シリカゲルデシケーター内で室温下にて乾燥し、抗ＨｂＡ１ｃモノクローナル抗体を固定化した。
次いで、抗ＨｂＡ１ｃモノクローナル抗体を固定化したメンブレンの長さ方向上端に幅５ｍｍ×長さ２０ｍｍの吸水パッド（ＡＰ２２、日本ミリポア社製）を、下端に幅５ｍｍ×長さ１５ｍｍのコンジュゲートパッド（グラスファイバー、日本ミリポア社製）を重ね、透明なテープで固定した後、幅５ｍｍに裁断し、試験片とした。
【００５６】
（２）ＨｂＡ１ｃハプテン結合磁性体含有粒子の作製
磁性体含有粒子（ポリスチレン系、磁性体量６０％、平均粒子径０．３μｍ、積水化学社製）１０ｍｇに、２０ｍＭリン酸緩衝液（ｐＨ７．５）１０ｍＬを加え、１５０００ＲＰＭにて２０分間遠心分離を行った。得られた沈渣に、２０ｍＭリン酸緩衝液（ｐＨ７．５）にＨｂＡ１ｃポリハプテンを０．４ｍｇ／ｍＬの濃度になるように溶解した溶液を２ｍＬ加え、充分に混和して、室温にて１時間撹拌した。
その後、未反応のＨｂＡ１ｃハプテンを除去するため、１５０００ＲＰＭにて２０分間遠心分離を行い、沈渣を２０ｍＭリン酸緩衝液（ｐＨ７．５）３ｍＬに懸濁させ、再度遠心分離を行った。その沈渣を２０ｍＭリン酸緩衝液（ｐＨ７．５）に牛血清アルブミンを１％（ｗ／ｖ）の濃度になるように溶解した溶液３ｍＬに懸濁させ、室温で１時間撹拌し、ブロッキング処理を行った。その後、１５０００ＲＰＭにて２０分間遠心分離を行い、沈渣を２０ｍＭリン酸緩衝液（ｐＨ７．５）に牛血清アルブミンを１％（ｗ／ｖ）の濃度になるように溶解し、更にアジ化ナトリウムを０．０１％（ｗ／ｖ）の濃度になるように溶解した溶液２ｍＬに懸濁させてＨｂＡ１ｃハプテン結合磁性体含有粒子の懸濁液を調製し、使用までこれを冷蔵保存した。
【００５７】
（３）試験液の調製
検体として、グリコＨｂコントロールレベルＩ（ＨｂＡ１ｃ＝５．４±０．３％）、又は、レベルＩＩ（ＨｂＡ１ｃ＝１０．６±０．５％）（国際試薬社製）を用い、牛血清アルブミン１％（ｗ／ｖ）、トリトン−１００  ０．０３％（ｗ／ｖ）、及び、ヘモグロビン濃度が５μｇ／ｍＬになるように１００ｍＭＰＢＳを用いて調整することにより、レベルＩ試験液及びレベルＩＩ試験液を作製した。
【００５８】
（評価）
各試験液１００μＬとＨｂＡ１ｃハプテン結合磁性体含有粒子懸濁液５μＬを混合した後、試験片のコンジュゲートパッド部位にキャピラリーを用いて１００μＬ滴下した。滴下２０分後、試験片の検出部位の磁性量を、市販のＧＭＲセンサ（差動磁界センサ、ＮＶＥ社製）を用いて測定した。測定結果を表２に示した。
【００５９】
（実施例４）
（１）試験片の作製
ニトロセルロースメンブレン（ＳＲＨＦ  Ｐ７０、日本ミリポア社製）を幅２０ｃｍ×長さ６ｃｍに裁断し、その長さ方向上端より２ｃｍの部位（反応部位）に、ＨｂＡ１ｃハプテンを０．２ｍｇ／ｍｌの濃度となるようにトリス塩酸緩衝液（１０ｍｍｏｌ／ｌ、ｐＨ７．４）に溶解した溶液を幅０．７ｍｍの直線状に塗布した。その後、３７℃で２時間乾燥した後、牛血清アルブミン（和光純薬社製）が１重量％の濃度になるように、リン酸緩衝液（１００ｍｍｏｌ／ｌ、ｐＨ７．５）に溶解した溶液に１時間浸漬し、ブロッキング処理を行った。更に、その後、ラウリルベンゼンスルホン酸ナトリウムを０．１重量％濃度になるようにリン酸緩衝液（１００ｍｍｏｌ／ｌ、ｐＨ７．５）に溶解した溶液にて洗浄後、シリカゲルデシケーター内で室温下にて乾燥し、ＨｂＡ１ｃハプテンを固定化した。
次いで、ＨｂＡ１ｃハプテンを固定化したメンブレンの長さ方向上端に幅５ｍｍ×長さ２０ｍｍの吸水パッド（ＡＰ２２、日本ミリポア社製）を、下端に幅５ｍｍ×長さ１５ｍｍのコンジュゲートパッド（グラスファイバー、日本ミリポア社製）を重ね、透明なテープで固定した後、幅５ｍｍに裁断し、試験片とした。
【００６０】
（２）試験液の調製
検体として、グリコＨｂコントロールレベルＩ（ＨｂＡ１ｃ＝５．４±０．３％）、又は、レベルＩＩ（ＨｂＡ１ｃ＝１０．６±０．５％）（国際試薬社製）を用い、牛血清アルブミン１％（ｗ／ｖ）、トリトン−１００  ０．０３％（ｗ／ｖ）、及び、ヘモグロビン濃度が５μｇ／ｍＬになるように１００ｍＭＰＢＳを用いて調整することにより、レベルＩ試験液及びレベルＩＩ試験液を作製した。
【００６１】
（評価）
各試験液１００μＬと実施例１で作製した抗ＨｂＡ１ｃモノクローナル抗体結合磁性体含有粒子懸濁液５μＬを混合した後、試験片のコンジュゲートパッド部位にキャピラリーを用いて１００μＬ滴下した。滴下２０分後、試験片の検出部位の磁性量を、市販のＧＭＲセンサ（差動磁界センサ、ＮＶＥ社製）を用いて測定した。測定結果を表２に示した。
【００６２】
【表２】
2007003411.tif 000003
【００６３】
表２に示したように、実施例３、４では、ＨｂＡ１ｃの比率の変化に伴い、競合反応の元原理に基づいた磁性量の変化が確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例３、４のヘモグロビンＡ１ｃの測定方法は、簡便で、精度の高い有用な測定法であることが判る。
【００６４】
（実施例５）
（１）試料の調整
試料として、グリコＨｂコントロールレベルＩ（ＨｂＡ１ｃ＝５．４±０．３％）、レベルＩＩ（ＨｂＡ１ｃ＝１０．６±０．５％）（国際試薬社製）をそれぞれ１２５μＬに精製水を５ｍＬ加えて調整した。
【００６５】
（評価）
磁性体含有粒子（ポリスチレン系、磁性体量６０％、平均粒子径０．３μｍ、積水化学社製）を２０ｍＭリン酸緩衝液（ｐＨ７．４）に０．１％濃度となるように分散した懸濁液２００μＬに、試料５μＬを添加し、３７℃で３０分間撹拌して、磁性体含有粒子表面にヘモグロビンを吸着させた。
次いで、上記磁性体含有粒子懸濁液に、牛血清アルブミンを１％（ｗ／ｖ）の濃度になるように溶解した２０ｍＭリン酸緩衝液（ｐＨ７．４）を２００μＬ添加した。
上記の反応液を実施例１で作製した試験片のコンジュゲートパッド部位に、キャピラリーを用いて１００μＬ滴下した。滴下２０分後、試験片の検出部位の磁性量を、市販のＧＭＲセンサ（差動磁界センサ、ＮＶＥ社製）を用いて測定した。測定結果を表３に示した。
【００６６】
【表３】
2007003411.tif 000004
【００６７】
表３より、実施例５は、ＨｂＡ１ｃの比率の変化に伴い、磁性量についても大きく変化していることが確認された。これにより、測定結果に基づき検量線を作成し、作成した検量線を用いることで、磁性量の測定値から測定試料中のＨｂＡに対するＨｂＡ１ｃの比率を求めることが可能となる。従って、実施例５のヘモグロビンＡ１ｃの測定方法は、簡便で、精度の高い有用な測定法であることが判る。
【産業上の利用可能性】
【００６８】
本発明によれば、簡易かつ迅速に、ヘモグロビンＡに対するヘモグロビンＡ１ｃの比率を高い精度で測定することが可能なヘモグロビンＡ１ｃの測定方法及びヘモグロビンＡ１ｃ測定用キットを提供することができる。
【図面の簡単な説明】
【００６９】
【図１ａ】本発明のヘモグロビンＡ１ｃの測定方法の一例を示す模式図である
【図１ｂ】本発明のヘモグロビンＡ１ｃの測定方法の一例を示す模式図である
【図２】本発明のヘモグロビンＡ１ｃの測定方法の一例を示す模式図である
【図３】本発明のヘモグロビンＡ１ｃの測定方法の一例を示す模式図である
【図４】本発明のヘモグロビンＡ１ｃの測定方法の一例を示す模式図である
【符号の説明】
【００７０】
１  検出試薬
２  ヘモグロビンＡ１ｃ
３  ヘモグロビンＡ
４  固定相
【図１ａ】
2007003411.tif 000005
【図１ｂ】
2007003411.tif 000006
【図２】
2007003411.tif 000007
【図３】
2007003411.tif 000008
【図４】
2007003411.tif 000009